(57)【要約】【課題】  汚物落下位置との不整合を生じず、水はねを確実に防止することが可能で、しかも、汚物が付着して不衛生になることもない便器を提供する。【解決手段】  便器Ｔの水溜り部１の汚物落下位置１ａに、溜水面Ｒよりも高さが低くなるように隆起部２を設ける。【効果】  落下した汚物は、水溜り部１の汚物落下位置１ａに設けた隆起部２にあたり、衝撃を和らげた後、スムーズに水中に沈むため、水はねを最小限に抑えることができる。また、隆起部２の高さを溜水面Ｒよりも低くして、水中で汚物を受け止めるようにしたため、隆起部２に汚物が付着しない。また、隆起部２が空気中に露出していないから、臭気も抑制できる。【選択図】        図１
2005282048.tif 000002
【特許請求の範囲】
【請求項１】
便器の水溜り部の汚物落下位置に、溜水面よりも高さが低くなるように隆起部を設けたことを特徴とする便器。
【発明の詳細な説明】
【技術分野】
【０００１】
本発明は、水溜り部に汚物が落ちる際に生じる水はねを、最小限に抑えることができる便器に関する。
【背景技術】
【０００２】
水洗式トイレの便器の底には、排水溝につながり、洗浄水を溜めておくための水溜り部がある。従来より、水洗式トイレでは、排泄した汚物が水溜り部に落下するときに水はねが起きるため、便座裏面を汚したり、はねた水がトイレ使用者にあたって不快感を与えることがあった。そのため、人によっては、座る位置を少し前方にずらすことにより、汚物が直接水溜り部に落下しないようにして、水はねを防止していた。しかし、このような回避方法は、水溜り部以外の陶器面を汚すという別の問題を生じさせていた。
【０００３】
また、最近では、便器への汚物の付着防止や、洗浄水の節約、臭気抑制等の目的で、水溜り部の溜水面の面積が広くなるように設計されたサイフォンジェット式の便器も広く利用されているから、着座位置を多少前方にずらしても、汚物が直接水溜り部に落下して、水はねを回避できないこともある。
【０００４】
そこで、従来より、例えば、溜水面に水はね防止物を浮かせ、この水はね防止物に汚物をあてることにより落下の衝撃を和らげて、水はねを防止する技術が知られている。
【特許文献１】特開平８−６０７２５号公報
【０００５】
具体的には、特許文献１の図１には、便器内の溜水面に浮かべる浮体であって、外形が便器の排水口よりも大きいか、または排水口よりも小さくて吸い込み防止の紐を取り付けた構成の水はね防止物の例が開示されている。また、例えば、一端が機動装置に接続された可動式の大便受けを有する跳ね返り防止装置も公知となっている。
【特許文献２】特開平９−１９５３５８号公報
【０００６】
しかしながら、上記のような水はね防止物を便器の水溜り部に浮かべる場合、水はね防止物の位置が一定せず、汚物落下位置と一致しなくなることがあるため、水はねを確実に防止できないという問題があった。また、上記の例の水はね防止物は、溜水面よりも上方に露出している部分があるため、汚物が付着して不衛生になるという問題もあった。
【０００７】
また、特許文献２のような跳ね返り防止装置は、機動装置を必要とするため、製造コストが高くついたり、故障した場合の保守が必要になる等の問題があった。また、上記の例の跳ね返り防止装置は、大便受けが空中に露出しているため、この部分に常に水を流すように構成していても、汚物が十分に流し取られずに、不衛生になる場合があるという問題もあった。
【発明の開示】
【発明が解決しようとする課題】
【０００８】
解決しようとする問題点は、汚物落下位置との不整合を生じず、水はねを確実に防止することが可能で、しかも、特別な装置を必要とせず、汚物が付着して不衛生になることもない便器が提供されていない点である。
【課題を解決するための手段】
【０００９】
本発明は、便器の水溜り部の汚物落下位置に、溜水面よりも高さが低くなるように隆起部を設けたことを最も主要な特徴とする。
【発明の効果】
【００１０】
本発明によれば、落下した汚物は、便器の水溜り部の汚物落下位置に設けた隆起部にあたり、衝撃を和らげた後、スムーズに水中に沈むため、水はねを確実に防止できるという利点がある。また、本発明では、隆起部の高さを溜水面よりも低くし、水中で汚物を受け止めるようにしたため、隆起部に汚物が付着せず、また、隆起部が空気中に露出していないから、臭気も抑制できるという利点がある。
【００１１】
なお、水洗式トイレの便器では、水溜り部の水位は、水洗式トイレの機種ごとに常に一定となっている。従って、本発明の隆起部の高さは、水洗式トイレの機種に応じて適宜最適な高さを特定することができる。
【発明を実施するための最良の形態】
【００１２】
本発明の便器は、便器の水溜り部の汚物落下位置に、溜水面よりも高さが低くなるように隆起部を設けたものである。
【００１３】
前記本発明において、隆起部の高さを、溜水面から１〜２ｃｍの範囲となるように設定すれば、汚物が水中に深く沈み込む前に隆起部の頂部で汚物を受け止めることができるから、水はねを最小限に抑えることができる上、隆起部の頂部と溜水面の間には、隆起部への汚物の付着を防止するのに十分な量の水が存在する状態となるので、好適である。
【００１４】
また、前記本発明において、隆起部の斜面を、便器の水溜り部を形成する面となだらかに連続する形状のものとすれば、汚物を、隆起部の斜面から水溜り部を形成する面に沿ってスムーズに水中に落下させることができるので、好適である。そのような隆起部の一例として、例えば、截頭円錐状に形成した隆起部を用いることができる。この場合は、汚物を、頂上平面部で一旦受け止めた後、截頭円錐状の隆起部の斜面から水溜り部を形成する面に沿って、スムーズに水中に落下させることができる。
【００１５】
なお、本発明の隆起部は、例えば陶器等の材料で、便器本体と一体に形成しても良い。あるいは、例えば樹脂等の任意の材料で隆起部のみを別に作成した後に、便器の水溜り部を形成する面の汚物落下位置に取り付けるように構成しても良い。
【００１６】
また、前記本発明は、汚物落下位置に水溜り部を有する便器であれば、サイフォンジェット式に限らず、サイフォン式、セミサイフォン式、洗い流し式等、何れのタイプの便器であっても良い。また、前記本発明は、排水溝の位置は前後何れにあっても良い。
【実施例】
【００１７】
以下、本発明を添付図面に示す実施例に基づいて詳細に説明する。図１は、便座に着座するトイレ使用者から見て、後方下部に排水溝が存在する本発明の便器の例を示したもので、（ｂ）は平面方向から見た図、（ａ）は（ｂ）のＡ−Ａ’線における部分断面を示す図、（ｃ）は（ｂ）のＢ−Ｂ’線における断面を示す図である。
【００１８】
図１（ａ）〜（ｃ）において、Ｔは、洗浄水を一定の水位で溜めておく水溜り部１を備え、この水溜り部１の汚物落下位置１ａに、隆起部２を設けた本発明の第１の便器を示している。なお、３は、トイレ使用者Ｓが着座する便座を、４は、水溜り部１と連続し、洗浄水が流れ込む排水溝を、Ｒは、水溜り部１の溜水面を示している。
【００１９】
汚物落下位置１ａは、図１（ａ）に示したように、トイレ使用者Ｓが便座３に自然に着座した状態において、汚物が溜水面Ｒに落下してから垂直方向に沈み込んで水溜り部１の底に到達するまでの範囲の位置をいい、便器Ｔの形状に応じて変動するものである。この点は、後述する本発明の第３の便器において具体的に説明する。
【００２０】
図１（ａ）において、溜水面Ｒから隆起部２の頂部に至る部分の深さを示すＬ１のサイズは２ｃｍ、隆起部２の高さを示すＬ２のサイズは４ｃｍ、隆起部２の長さを示すＬ３のサイズは１５ｃｍとしている。すなわち、便器Ｔでは、隆起部２の高さが溜水面Ｒよりも２ｃｍ低くなるように構成している。
【００２１】
このような構成を採用したので、本発明の第１の便器Ｔは、汚物が水中に深く沈み込む前に隆起部２の頂部で汚物を受け止めることができるから、水はねを最小限に抑えることができる。そのため、便器Ｔでは、はねた水で便座３の裏面を汚したり、はねた水がトイレ使用者Ｓにあたって不快感を与えることはない。また、便器Ｔでは、隆起部２の頂部と溜水面Ｒの間に十分な量の水が存在するから、隆起部２への汚物の付着を防止することができ、隆起部２から悪臭が生じることもない。
【００２２】
図１（ｂ）において、排水溝４の幅を示すＬ４のサイズは１０ｃｍ、隆起部２の先端付近の幅を示すＬ５のサイズは３ｃｍとしている。すなわち、隆起部２の幅は、排水溝４の幅と同じかそれよりも狭い幅のものとすれば良いが、便器Ｔでは、排水溝４から遠ざかるにつれて先細りした形状の隆起部２を用いている。
【００２３】
図１（ａ）に示したように、隆起部２は、その斜面が水溜り部１を形成する面と凹凸を生じることなく、なだらかに連続する形状となるように、便器Ｔ本体と一体に陶器で形成したものである。このような構成を採用したので、便器Ｔでは、汚物を、隆起部２の斜面から水溜り部１を形成する面に沿ってスムーズに排水溝４の方向に落下させることができる。
【００２４】
次に、本発明の第２の便器について説明する。図２（ａ）〜（ｃ）に示す便器Ｔ０は、便座３０に着座するトイレ使用者から見て、前方下部に排水溝４０が存在する本発明の便器の例を示したものである。なお、（ｂ）は平面方向から見た図、（ａ）は（ｂ）のＡ−Ａ’線における部分断面を示す図、（ｃ）は（ｂ）のＢ−Ｂ’線における断面を示す図である。
【００２５】
便器Ｔ０は、水はねが起きて便座３０の裏面を汚したり、はねた水が使用者にあたって不快感を与えることを防止すべく、図２（ａ）に示したように、水溜り部１０の汚物落下位置１０ａに、溜水面Ｒ０よりも高さが２ｃｍ低くなるように隆起部２０を設けている。  
【００２６】
このような構成を採用したので、本発明の第２の便器Ｔ０は、汚物が水中に深く沈み込む前に隆起部２０の頂部で汚物を受け止めることができるから、水はねを最小限に抑えることができる。また、隆起部２０の頂部と溜水面Ｒ０の間には、隆起部２０への汚物の付着を防止するのに十分な量の水が存在する。
【００２７】
ただ、前述した便器Ｔと異なり、便器Ｔ０では、排水溝４０が便座３０に着座した使用者から見て前方下部にあるため、隆起部２０の形状は、図２（ａ）〜（ｃ）に示したように、前述した便器Ｔの隆起部２とは左右反転したものとなっている。
【００２８】
隆起部２０は、図２（ａ）に示したように、その斜面が水溜り部１０を形成する面と凹凸を生じることなく、なだらかに連続する形状となるように、便器Ｔ０本体と一体に陶器で形成したものである。このようにしたので、便器Ｔ０も、汚物を、隆起部２０の斜面から水溜り部１０を形成する面に沿ってスムーズに排水溝４０の方向に落下させることができる。
【００２９】
以上のように図１及び図２に示す本発明の便器Ｔ、Ｔ０では、汚物落下位置１ａ、１０ａに、水溜り部１、１０の比較的平坦な面が存在するため、その部分に４ｃｍ程度の高さの隆起部２、２０を設けることで、前述の水はねの防止を実現している。
【００３０】
これに対して、本発明の第３の便器Ｔ００は、図３（ａ）に示したように、汚物落下位置１００ａが、排水溝４００に近い水溜り部１００の底部にまで至る場合の例を示したものである。なお、図３の（ｂ）は平面方向から見た図、（ａ）は（ｂ）のＡ−Ａ’線における部分断面を示す図、（ｃ）は（ｂ）のＢ−Ｂ’線における断面を示す図である。
【００３１】
この場合、隆起部２００は、水溜り部１００の底部に取り付ける必要はなく、図３（ａ）〜（ｃ）に示したように、汚物落下位置１００ａの中間に設けた受台２００ａの上に取り付けることができる。なお、図３（ａ）において、溜水面Ｒ００から隆起部２００の頂部に至る部分の深さを示すＬ１００のサイズは２ｃｍ、受台２００ａを含む隆起部２００の高さを示すＬ２００のサイズは３ｃｍ、隆起部２００の長さを示すＬ３００のサイズは４ｃｍとしている。すなわち、便器Ｔ００は、隆起部２００の高さが溜水面Ｒ００よりも２ｃｍ低くなるように構成している。また、図３（ｂ）において、排水溝４００の幅を示すＬ４００のサイズは１０ｃｍ、隆起部２００の幅を示すＬ５００のサイズは３ｃｍとしている。
【００３２】
このような構成を採用することで、落下した汚物は、水中に深く沈み込む前に隆起部２００の頂部にあたり、衝撃を和らげた後、水中に沈むこととなる。従って、水はねを最小限に抑えることができるので、はねた水で便座３００の裏面を汚したり、はねた水がトイレ使用者にあたって不快感を与えることはない。また、隆起部２００の頂部と溜水面Ｒの間には、隆起部２００への汚物の付着を防止するのに十分な量の水が存在するから、隆起部２００に汚物が付着することもない。
【００３３】
なお、前述した本発明の第１の便器Ｔは、水溜り部２を形成する面が平坦で、水溜り部２以外の陶器面となだらかに連続するタイプの便器の例であったが、本発明は、例えば図４（ａ）〜（ｃ）に示したような、水溜り部２０００とそれ以外の陶器面との境界に段差を有する便器Ｔ０００にも適用できる。
【００３４】
この本発明の第４の便器Ｔ０００の場合、図４（ａ）に示したように、溜水面Ｒ０００の面積が比較的狭いものとなるから、隆起部２０００の形状は、図１（ａ）の隆起部２と比較すると左右方向に短いものとしている。なお、図４の（ｂ）は平面方向から見た図、（ａ）は（ｂ）のＡ−Ａ’線における部分断面を示す図、（ｃ）は（ｂ）のＢ−Ｂ’線における断面を示す図であり、２０００は、水はねを防止すべく、水溜り部１０００の汚物落下位置１０００ａに、溜水面Ｒ０００よりも高さが低くなるように設けた隆起部を、３０００は、トイレ使用者が着座する便座を、４０００は、洗浄水が流れ込む排水溝を示している。
【００３５】
次に、本発明の便器の効果を確認するために行った水の跳ね返りテストについて説明する。本テストは、実際の便器Ｔ、Ｔ０、Ｔ００、Ｔ０００は使用せず、縦３０ｃｍ×横５０ｃｍのサイズのプラスチック製容器と、粘土で作成した模擬隆起部と、餅で作成した模擬大便を使用して、以下の手順で行った。
【００３６】
まず、プラスチック製容器に水深が５ｃｍとなるように水を入れ、その中央に截頭円錐状に成形した長さ１５ｃｍ、幅５ｃｍ、高さ４ｃｍのサイズの模擬隆起部をセットした。すなわち、プラスチック製容器にセットした状態において、模擬隆起部の頂部から水面までの距離は１ｃｍとなるようにした。また、模擬大便として使用する餅は、直径３ｃｍ、長さ５ｃｍの俵状のもの（以下、模擬大便１という。）と、直径２ｃｍの球状のもの（以下、模擬大便２という。）を準備した。
【００３７】
テストは、水面の上方約１０ｃｍの位置から模擬大便１、２を落下させ、このときの水の跳ね返りを目視で確認する方法により行った。同操作を各１６回行い、跳ね返りを確認した結果を表１にまとめる。なお、従来例（対照試験）としては、模擬隆起部をセットしないものを用いた。
【００３８】
【表１】
2005282048.tif 000003
【００３９】
まず、対照試験では、模擬大便１、２が水面に衝突すると、主として水面と平行な方向に、一次はね水が飛散することが確認された。そして、その後、模擬大便１、２が水中に入り、水面に空洞部が広がるようにでき、さらに、模擬大便１、２が水中に沈んでいくにつれて、空洞部の水面部開口が周囲の水が押し寄せるために狭まって、この押し寄せた水が衝突して柱状に上方に盛り上がって水柱を形成し、この水柱の先端がちぎれて、二次はね水が飛散することが確認された。
【００４０】
そこで、本テストでは、上記の一次はね水と二次はね水の両方を計測した。なお、表１では、目視で確認された水平方向の一次はね水の幅を「ａ（ｃｍ）」、垂直方向の二次はね水の高さを「ｂ（ｃｍ）」とするとき、これを「ａ＊ｂ」と表示している。
【００４１】
表１に示す結果より、模擬大便１、模擬大便２の何れを使用した場合でも、本発明の便器を想定した模擬隆起部を設けた場合の方が、水はねの範囲が明らかに小さくなるか、あるいは、水はねは生じないことが確認された。また、本発明の水はね防止効果は、一次はね水と二次はね水の何れに対しても顕著に認められた。
【００４２】
最後に、図１（ａ）〜（ｃ）に示したような、排水溝が後方にあるタイプの本発明の便器を実際に使用して行った洗浄テストについて説明する。このテストは、本発明の隆起部が、便器の洗浄機能を阻害しないこと確認するために行ったもので、テスト１では、洗浄水が便器の淵から排水溝に向けて真っ直ぐに落ちるタイプの便器を、テスト２では、洗浄水が便器の淵から陶器面を渦巻き式に回りながら排水溝に流れ込むタイプの便器を使用して、洗浄水の流れの変化を目視で確認した。
【００４３】
結果として、テスト１、２の何れの場合でも、洗浄水は隆起部を問題なく乗り越えて流れ、洗浄水の流れを乱すことはないことが確認できた。これにより、何れのタイプの便器でも、本発明の隆起部が便器の洗浄機能を阻害することはないことが確認できた。
【００４４】
以上のような構成の本発明の便器Ｔ、Ｔ０、Ｔ００、Ｔ０００では、落下した汚物は水溜り部１、１０、１００、１０００の汚物落下位置１ａ、１０ａ、１００ａ、１０００ａに設けた隆起部２、２０、２００、２０００にあたり、衝撃を和らげた後、スムーズに水中に沈むため、水はねを最小限に抑えることができる。そして、本発明の便器Ｔ、Ｔ０、Ｔ００、Ｔ０００は、汚物を受け止める隆起部２、２０、２００、２０００の高さを溜水面Ｒ、Ｒ０、Ｒ００、Ｒ０００よりも低くし、隆起部２、２０、２００、２０００が空気中に露出しないようにしたので、隆起部２、２０、２００、２０００に汚物が付着せず、臭気も抑制できるという効果が得られる。
【００４５】
すなわち、本発明の便器Ｔ、Ｔ０、Ｔ００、Ｔ０００を用いれば、汚物落下位置１ａ、１０ａ、１００ａ、１０００ａが不一致となることはなく、水はねを確実に防止することが可能で、しかも、特別な装置を必要とせず、隆起部２、２０、２００、２０００に汚物が付着して不衛生になることもないという効果を達成することができる。
【００４６】
なお、本発明は上記の例に限らず、請求項に記載された技術的思想の範囲内で、適宜実施の形態を変更しても良いことは言うまでもない。例えば、隆起部２、２０、２００、２０００は、後付で取り付けるように構成しても良いことは言うまでもない。また、隆起部２、２０、２００、２０００の形状は、図１〜図４のものに限られず、例えば截頭円錐状にするなどの設計変更も任意である。
【産業上の利用可能性】
【００４７】
本発明の便器は、水溜り部の溜水面が広くなるように構成されたサイフォンジェット式の便器に限らず、あらゆる形式の便器にも適用できる。
【図面の簡単な説明】
【００４８】
【図１】本発明の第１の便器を説明する図であり、（ｂ）は平面方向から見た図、（ａ）は（ｂ）のＡ−Ａ’線における部分断面を示す図、（ｃ）は（ｂ）のＢ−Ｂ’線における断面を示す図である。
【図２】本発明の第２の便器を説明する図であり、（ｂ）は平面方向から見た図、（ａ）は（ｂ）のＡ−Ａ’線における部分断面を示す図、（ｃ）は（ｂ）のＢ−Ｂ’線における断面を示す図である。
【図３】本発明の第３の便器を説明する図であり、（ｂ）は平面方向から見た図、（ａ）は（ｂ）のＡ−Ａ’線における部分断面を示す図、（ｃ）は（ｂ）のＢ−Ｂ’線における断面を示す図である。
【図４】本発明の第４の便器を説明する図であり、（ｂ）は平面方向から見た図、（ａ）は（ｂ）のＡ−Ａ’線における部分断面を示す図、（ｃ）は（ｂ）のＢ−Ｂ’線における断面を示す図である。
【符号の説明】
【００４９】
Ｔ、Ｔ０、Ｔ００、Ｔ０００    便器
１、１０、１００、１０００    水溜り部
１ａ、１０ａ、１００ａ、１０００ａ    汚物落下位置
２、２０、２００、２０００    隆起部
Ｒ、Ｒ０、Ｒ００、Ｒ０００    溜水面
【図１】
2005282048.tif 000004
【図２】
2005282048.tif 000005
【図３】
2005282048.tif 000006
【図４】
2005282048.tif 000007